(57)【要約】【課題】位置情報と個人情報とに基づいてユーザのニーズに沿った情報配信を行う情報配信装置等を提供する。【解決手段】情報配信側のユーザ端末装置から送信された情報を情報受信側のユーザ端末装置に配信する情報配信装置において、前記情報受信側のユーザ端末装置の位置情報と前記情報配信側のユーザ端末装置の位置情報とを格納する位置情報記憶手段と、前記情報受信側のユーザ端末装置に係るユーザの個人情報を格納する個人情報記憶手段と、前記位置情報記憶手段と前記個人情報記憶手段とから該当する情報受信側のユーザ端末装置を検索する情報制御手段と、前記情報制御手段により検索された前記情報受信側のユーザ端末装置群をグループ情報として格納するグループ情報記憶手段と、を備え、前記情報制御手段は、前記グループ情報に基づいて前記グループ情報記憶手段から前記情報受信側のユーザ端末装置群を検索し、当該検索されたユーザ端末装置群に限定して情報を配信する。【選択図】図１
2010049506.tif 000002
【特許請求の範囲】
【請求項１】
情報配信側のユーザ端末装置から送信された情報を情報受信側のユーザ端末装置に配信する情報配信装置において、
前記情報受信側のユーザ端末装置の位置情報と前記情報配信側のユーザ端末装置の位置情報とを格納する位置情報記憶手段と、
前記情報受信側のユーザ端末装置に係るユーザの個人情報を格納する個人情報記憶手段と、
前記位置情報記憶手段と前記個人情報記憶手段とから該当する情報受信側のユーザ端末装置を検索する情報制御手段と、
前記情報制御手段により検索された前記情報受信側のユーザ端末装置群をグループ情報として格納するグループ情報記憶手段と、を備え、
前記情報制御手段は、前記グループ情報に基づいて前記グループ情報記憶手段から前記情報受信側のユーザ端末装置群を検索し、当該検索されたユーザ端末装置群に限定して情報を配信することを特徴とする情報配信装置。
【請求項２】
請求項１に記載の情報配信装置において、
前記情報制御手段は、前記情報配信側のユーザ端末装置から所定の距離内に存在する前記情報受信側のユーザ端末装置を前記位置情報記憶手段から検索し、当該検索された情報受信側のユーザ端末装置に限定して情報を配信することを特徴とする情報配信装置。
【請求項３】
情報配信側のユーザ端末装置と、情報受信側のユーザ端末装置と、前記情報配信側のユーザ端末装置から送信された情報を前記情報受信側のユーザ端末装置に配信する情報配信装置と、を備える情報配信システムにおいて、
前記情報配信装置が、
前記情報受信側のユーザ端末装置の位置情報と前記情報配信側のユーザ端末装置の位置情報とを格納する位置情報記憶手段と、
前記情報受信側のユーザ端末装置に係るユーザの個人情報を格納する個人情報記憶手段と、
前記位置情報記憶手段と前記個人情報記憶手段とから該当する情報受信側のユーザ端末装置を検索する情報制御手段と、
前記情報制御手段により検索された前記情報受信側のユーザ端末装置群をグループ情報として格納するグループ情報記憶手段と、を備え、
前記情報制御手段は、前記グループ情報に基づいて前記グループ情報記憶手段から前記情報受信側のユーザ端末装置群を検索し、当該検索されたユーザ端末装置群に限定して情報を配信することを特徴とする情報配信システム。
【請求項４】
請求項３に記載の情報配信システムにおいて、
前記情報配信装置の前記情報制御手段は、前記情報配信側のユーザ端末装置から所定の距離内に存在する前記情報受信側のユーザ端末装置を前記位置情報記憶手段から検索し、当該検索された情報受信側のユーザ端末装置に限定して情報を配信することを特徴とする情報配信装置を特徴とする情報配信システム。
【請求項５】
情報配信側のユーザ端末装置から送信された情報を情報受信側のユーザ端末装置に配信する情報配信方法において、
前記情報受信側のユーザ端末装置の位置情報と前記情報配信側のユーザ端末装置の位置情報とを格納する位置情報記憶工程と、
前記情報受信側のユーザ端末装置に係るユーザの個人情報を格納する個人情報記憶工程と、
前記位置情報記憶工程と前記個人情報記憶工程とから該当する情報受信側のユーザ端末装置を検索する情報制御工程と、
前記情報制御工程において検索された前記情報受信側のユーザ端末装置群をグループ情報として格納するグループ情報記憶工程と、を備え、
前記情報制御工程において、前記グループ情報に基づいて前記グループ情報記憶工程により前記情報受信側のユーザ端末装置群を検索し、当該検索されたユーザ端末装置群に限定して情報を配信することを特徴とする情報配信方法。
【請求項６】
情報配信側のユーザ端末装置から送信された情報を情報受信側のユーザ端末装置に配信する情報配信装置に含まれるコンピュータを、
前記情報受信側のユーザ端末装置の位置情報と前記情報配信側のユーザ端末装置の位置情報とを格納する位置情報記憶手段、
前記情報受信側のユーザ端末装置に係るユーザの個人情報を格納する個人情報記憶手段、
前記位置情報記憶手段と前記個人情報記憶手段とから該当する情報受信側のユーザ端末装置を検索する情報制御手段、
前記情報制御手段により検索された前記情報受信側のユーザ端末装置群をグループ情報として格納するグループ情報記憶手段、として機能させ、
更に前記情報制御手段としての前記コンピュータを、前記グループ情報に基づいて前記グループ情報記憶手段から前記情報受信側のユーザ端末装置群を検索し、当該検索されたユーザ端末装置群に限定して情報を配信させることを特徴とする情報配信プログラム。
【発明の詳細な説明】
【技術分野】
【０００１】
本発明は、情報配信側のユーザ端末から送信された情報を情報受信側のユーザ端末に配信するための情報配信装置等に関し、特に、位置情報及び個人情報に基づきユーザのニーズに沿った情報配信を行う情報配信装置等に関する。
【背景技術】
【０００２】
インターネットや移動体通信網の発達・普及により、ネットワークを利用するユーザは、パーソナルコンピュータ等の情報処理端末を用いて、様々な情報を容易に入手可能となった。特に、携帯電話やＰＤＡ（Personal Digital Assistant）等の携帯情報端末においては、持ち運びが容易なため、ユーザは時間や場所にとらわれずに必要とする情報をいつでもどこにいても入手することが可能である。
【０００３】
これらの携帯情報端末を用いた情報入手の手段としては、電子メールによる情報配信やウェブアクセスによる情報検索が主に利用されている。
【０００４】
ところが、電子メールによる情報配信の場合、受信者のニーズに合致しない情報が配信されることも少なくない。例えば、ユーザの趣味に合わない内容の電子メールや、自分の居住地域又は会社の住所と関係のない内容の電子メールが配信されることはよくあることである。また、ウェブアクセスによる検索の場合は、大量の情報の中からユーザが必要とする情報を検索する必要があり、ユーザにとっては手間のかかる作業となっていた。
【０００５】
このようなことから、これまで、より効率的に所望の情報を入手すべく、携帯電話等の携帯情報端末を所持するユーザのニーズに沿った情報をユーザの位置に対応付けて配信する情報配信システム等が提案されている。このような情報配信システム等の一例が特許文献１乃至６に記載されている。
【特許文献１】特開２００４‐０７０４１９号公報
【特許文献２】特開２００４‐３２０２１７号公報
【特許文献３】特開２００５‐０５１７６５号公報
【特許文献４】特開２００６‐２６８５９７号公報
【特許文献５】特開２００７‐１１６７２６号公報
【特許文献６】特開２００７‐２９９１４５号公報
【発明の開示】
【発明が解決しようとする課題】
【０００６】
しかしながら、上記の技術では、情報配信システムにおいては情報受信側の端末の位置情報を関連させたシステムとなっているが、情報配信側の端末の位置については特に考慮されていなかった。このため、情報配信側のユーザが存在する位置から一定の距離範囲内にいるユーザに対して情報を配信したいような場合には、情報配信側のユーザは、まず自分がいる位置を地図等で確認した上で配信したい地域を指定する必要がある等の不便があった。また、一度配信した内容を変更等する際に、同一のユーザに対して再配信する仕組みが無かったため、変更した内容を同一のユーザに配信できなかった。
【０００７】
そこで、本発明は、上記問題点を鑑みてなされたものであり、本発明の目的の一例は、位置情報と個人情報とに基づいてユーザのニーズに沿った情報配信を行う情報配信装置等を提供することにある。
【課題を解決するための手段】
【０００８】
本発明の情報配信装置は、情報配信側のユーザ端末装置から送信された情報を情報受信側のユーザ端末装置に配信する情報配信装置において、前記情報受信側のユーザ端末装置の位置情報と前記情報配信側のユーザ端末装置の位置情報とを格納する位置情報記憶手段と、前記情報受信側のユーザ端末装置に係るユーザの個人情報を格納する個人情報記憶手段と、前記位置情報記憶手段と前記個人情報記憶手段とから該当する情報受信側のユーザ端末装置を検索する情報制御手段と、前記情報制御手段により検索された前記情報受信側のユーザ端末装置群をグループ情報として格納するグループ情報記憶手段と、を備え、前記情報制御手段は、前記グループ情報に基づいて前記グループ情報記憶手段から前記情報受信側のユーザ端末装置群を検索し、当該検索されたユーザ端末装置群に限定して情報を配信する。
【０００９】
また本発明の情報配信システムは、情報配信側のユーザ端末装置と、情報受信側のユーザ端末装置と、前記情報配信側のユーザ端末装置から送信された情報を前記情報受信側のユーザ端末装置に配信する情報配信装置と、を備える情報配信システムにおいて、前記情報配信装置が、前記情報受信側のユーザ端末装置の位置情報と前記情報配信側のユーザ端末装置の位置情報とを格納する位置情報記憶手段と、前記情報受信側のユーザ端末装置に係るユーザの個人情報を格納する個人情報記憶手段と、前記位置情報記憶手段と前記個人情報記憶手段とから該当する情報受信側のユーザ端末装置を検索する情報制御手段と、前記情報制御手段により検索された前記情報受信側のユーザ端末装置群をグループ情報として格納するグループ情報記憶手段と、を備え、前記情報制御手段は、前記グループ情報に基づいて前記グループ情報記憶手段から前記情報受信側のユーザ端末装置群を検索し、当該検索されたユーザ端末装置群に限定して情報を配信する。
【００１０】
また本発明の情報配信方法は、情報配信側のユーザ端末装置から送信された情報を情報受信側のユーザ端末装置に配信する情報配信方法において、前記情報受信側のユーザ端末装置の位置情報と前記情報配信側のユーザ端末装置の位置情報とを格納する位置情報記憶工程と、前記情報受信側のユーザ端末装置に係るユーザの個人情報を格納する個人情報記憶工程と、前記位置情報記憶工程と前記個人情報記憶工程とから該当する情報受信側のユーザ端末装置を検索する情報制御工程と、前記情報制御工程において検索された前記情報受信側のユーザ端末装置群をグループ情報として格納するグループ情報記憶工程と、を備え、前記情報制御工程において、前記グループ情報に基づいて前記グループ情報記憶工程により前記情報受信側のユーザ端末装置群を検索し、当該検索されたユーザ端末装置群に限定して情報を配信する。
【００１１】
また本発明の情報配信プログラムは、情報配信側のユーザ端末装置から送信された情報を情報受信側のユーザ端末装置に配信する情報配信装置に含まれるコンピュータを、前記情報受信側のユーザ端末装置の位置情報と前記情報配信側のユーザ端末装置の位置情報とを格納する位置情報記憶手段、前記情報受信側のユーザ端末装置に係るユーザの個人情報を格納する個人情報記憶手段、前記位置情報記憶手段と前記個人情報記憶手段とから該当する情報受信側のユーザ端末装置を検索する情報制御手段、及び前記情報制御手段により検索された前記情報受信側のユーザ端末装置群をグループ情報として格納するグループ情報記憶手段、として機能させ、更に前記情報制御手段としての前記コンピュータを、前記グループ情報に基づいて前記グループ情報記憶手段から前記情報受信側のユーザ端末装置群を検索し、当該検索されたユーザ端末装置群に限定して情報を配信させる。
【発明の効果】
【００１２】
本発明の情報配信装置及び情報配信システムによれば、情報の配信を行う際に、予め、ユーザ端末の位置及びユーザの属性や嗜好等の個人情報に基づいて、配信するユーザを抽出し、当該ユーザに限定して情報を配信することができる。また、抽出したユーザ群をグループとして保存して再配信することができる。これにより、配信される情報は、受信側のユーザが希望する情報に限られた的確なものとなり、無駄の無い情報の配信及び受信が可能となる。不特定多数のユーザに無作為に情報が配信されることがなくなり、通信網への負荷の軽減及びコストの低減ができ、効率よいシステムの構築・運用が可能となる。さらに、グループ配信を利用することによって、配信側の操作を短縮した上で再配信することが可能となる。
【発明を実施するための最良の形態】
【００１３】
次に、本発明に好適な実施の形態について、図面に基づいて説明する。
【００１４】
本発明の実施形態に係る情報配信システム１の構成及び機能について、図１を用いて説明する。
【００１５】
図１は、本発明の実施形態に係る情報配信システム１の概略構成を示すブロック図である。
【００１６】
情報配信システム１（情報配信システムの一例）は、図１に示すように、ユーザ端末１０ａ（情報配信側のユーザ端末装置の一例）及び１０ｂ（情報受信側のユーザ端末装置の一例）と、情報配信装置２０（情報配信装置の一例）と、位置情報提供システム３０とを備えて構成される。
【００１７】
ユーザ端末１０は、説明の便宜上、情報配信側のユーザ端末１０ａと情報受信側のユーザ端末１０ｂとに分けてあるが、情報配信側、情報受信側で専用の構成を備える必要はなく、ユーザ端末として共通の機能を備えることができる。勿論、情報配信側、情報受信側とで、それぞれ専用の端末構成としてもよい。このようなユーザ端末１０ａ及び１０ｂとしては、例えば、携帯電話端末やＰＤＡ等の携帯情報端末により構成することができる。
【００１８】
情報配信側のユーザ端末１０ａは、何らかの情報を配信しようとするユーザによって所持されており、ユーザの操作によって情報が生成され、配信される。
【００１９】
一方、情報受信側のユーザ端末１０ｂは、情報配信側のユーザ端末１０ａから配信される情報を受信する端末である。
【００２０】
情報配信側のユーザ端末１０ａ及び情報受信側のユーザ端末１０ｂは、位置情報取得手段１０１と、位置情報送信手段１０２とを備える。
【００２１】
位置情報取得手段１０１は、自己の端末が現在いる場所の位置情報を位置情報提供システム３０から取得する手段である。
【００２２】
位置情報送信手段１０２は、位置情報取得手段１０１によって取得した自己の端末の位置情報を情報配信装置２０に送信する手段である。
【００２３】
更に、情報配信側のユーザ端末１０ａは、配信情報作成手段１０３と、配信ユーザ選択手段１０４とを備える。
【００２４】
配信情報作成手段１０３は、ユーザがキー操作等により入力することによって配信する情報を作成する手段である。
【００２５】
配信ユーザ選択手段１０４は、情報配信側のユーザが情報を配信したいユーザを予め選択する手段であり、様々な属性及び嗜好の選択肢の中から希望するカテゴリを選択することが可能である。
【００２６】
また、情報受信側のユーザ端末１０ｂは、個人情報入力手段１０５を備えている。
【００２７】
個人情報入力手段１０５は、個人の性別、職業、年齢等の属性データや、趣味や必要とする情報の領域等の嗜好データを情報配信装置２０に登録するために、ユーザによって入力する手段である。
【００２８】
情報配信装置２０は、情報制御部２０１（情報制御手段の一例）と、位置情報データベース２０２（位置情報記憶手段の一例）と、個人情報データベース２０３（個人情報記憶手段の一例）と、グループ情報データベース２０４（グループ情報記憶手段の一例）とを備える。
【００２９】
情報制御部２０１は、情報配信装置２０において取り扱う各種情報を制御するものであり、位置情報登録手段２０１１と、位置情報検索手段２０１２と、個人情報登録手段２０１３と、個人情報検索手段２０１４と、配信ユーザ限定手段２０１５と、グループ情報登録手段２０１６と、グループ情報検索手段２０１７とを備える。
【００３０】
位置情報データベース２０２は、ユーザ端末の位置情報を格納するものであり、ユーザ端末１０ａ及び１０ｂから送信された自己の位置情報を格納しておく位置情報格納手段２０２１を備える。
【００３１】
個人情報データベース２０３は、ユーザ端末の個人情報を格納するものであり、情報受信側となるユーザ端末１０ｂによって登録されたユーザの属性を格納する属性データ格納手段２０３１と、同じくユーザの嗜好データを格納する嗜好データ格納手段２０３２と、を備える。
【００３２】
グループ情報データベース２０４は、グループ情報（グループ情報の一例）を格納するものであり、情報配信側となるユーザ端末１０ａによって作成されたグループ情報を格納するグループ情報格納手段２０４１を備える。
【００３３】
位置情報提供システム３０は、ＧＰＳ（Global Positioning System）等に代表されるシステムであり、ユーザ端末が発する電波等を検出し、その位置情報を自己のユーザ端末に提供する機能を有するものである。
【００３４】
［位置情報登録］
図２は、本発明の実施形態に係る情報配信システムにおける位置情報の登録手順を示す図である。
【００３５】
まず、情報配信側のユーザ端末１０ａ及び情報受信側のユーザ端末１０ｂが、位置情報提供システム３０に位置情報の取得要求を行う（Ａ１）。
【００３６】
これを受け、位置情報提供システム３０は、ユーザ端末１０ａ及び１０ｂに対し、各々の位置情報を送信する（Ａ２）。
【００３７】
次に、自己の位置情報を受け取った各ユーザ端末１０ａ及び１０ｂは、その位置情報をもとに情報配信システム２０の情報制御部２０１に登録要求を行う（Ａ３）。
【００３８】
そして、各ユーザ端末の位置情報とともに登録要求を受け取った情報制御部２０１は、位置情報データベース２０２に当該位置情報の登録を行う（Ａ４）。
【００３９】
情報制御部２０１の登録を受けて、位置情報データベース２０２は、各ユーザ端末１０ａ及び１０ｂの位置情報を格納し、登録が完了する（Ａ５）。
【００４０】
以上説明したように、位置情報登録が完了すると、図３に示す位置情報テーブルのように、ユーザ毎に位置情報が格納される。
【００４１】
［個人情報登録］
次に、本実施形態に係る情報配信システム１における個人情報登録手順について、図４を用いて説明する。
【００４２】
図４は、本実施形態に係る情報配信システム１における個人情報の登録手順のうち、嗜好データ登録手順を示した図である。
【００４３】
なお、属性データの登録手順についても、ほぼ同様の手順に従って行うので、詳細な説明は割愛する。
【００４４】
まず、情報受信側となるユーザ端末１０ｂは、個人情報を登録するため、情報配信装置２０の情報制御部２０１に対して、個人情報登録画面表示要求を行う（Ｂ１）。
【００４５】
これを受け、情報制御部２０１は、個人情報登録画面表示データを情報受信側のユーザ端末１０ｂに送信する（Ｂ２）。
【００４６】
情報受信側のユーザ端末１０ｂでは、画面表示のための閲覧ソフトウェアがインストールされており、前記個人情報登録画面表示データを受けると、図５に示すように表示される。
【００４７】
次に、ユーザは、自己の個人情報（ここでは、嗜好データ）を入力する（Ｂ３）。具体的には、図５に示すような画面に表示されている選択肢の中から受信したい情報のカテゴリを選択する。例えば、サッカーに関する情報を受信したい場合は、スポーツのチェックボックス欄にチェックを入れ、次にサッカーのチェックボックス欄にチェックを入れる。なお、設定により複数種類のカテゴリを選択することも可能であり、この場合、論理和（ＯＲ）又は論理積（ＡＮＤ）のどちらかの演算指定を行う。例えば、サッカーと学校関係イベントの両方の情報を入手したい場合は、論理和（ＯＲ）の演算指定をした上で、両方のチェックボックス欄にチェックを入れることとなる。
【００４８】
次に、入力した情報をもとに情報制御部２０１に対して個人情報の登録要求を送信する（Ｂ４）。
【００４９】
個人情報登録要求を受け取った情報制御部２０１は、そのデータをもとに個人情報データベース２０３に登録を行う（Ｂ５）。
【００５０】
情報制御部２０１による登録を受けて、個人情報データベース２０３は、情報受信側のユーザの個人情報を格納し、登録は完了する（Ｂ６）。
【００５１】
以上、個人情報登録が完了すると、図６に示す個人情報テーブルのように、ユーザ毎の属性データ及び嗜好データが格納される。
【００５２】
［情報配信準備］
［１．グループ情報を利用しない場合の配信］
次に、本実施形態に係る情報配信システム１におけるグループ情報を利用しない場合の情報配信準備について、図７を用いて説明する。
【００５３】
図７は、本発明の実施形態に係る情報配信システム１における情報配信手順を示す図である。
【００５４】
まず、情報配信側のユーザは、ユーザ端末１０ａの所定の操作によって、情報配信装置２０の情報制御部２０１に対し配信ユーザ選択画面の表示要求を行う（Ｃ１）。
【００５５】
配信ユーザ選択画面表示要求を受けた情報制御部２０１は、情報配信側１０ａの位置を検索するため、位置情報データベース２０２に対し位置情報検索を実施する（Ｃ２）。
【００５６】
位置情報データベース２０２は、上記検索結果として該当する位置情報を抽出し、情報制御部２０１に送信する（Ｃ３）。
【００５７】
情報制御部２０１は、受け取った個人情報をもとに、まず、嗜好に関するカテゴリ選択画面表示データを情報配信側のユーザ端末１０ａに送信する（Ｃ４）。
【００５８】
情報配信側のユーザ端末１０ａでは、前記カテゴリ選択画面表示データを受けると、図９に示すように表示される。
【００５９】
情報配信側のユーザは、配信したい嗜好に係るカテゴリを選択する（Ｃ５）。具体的には、図９に示すように、画面に表示されている選択肢の中から配信したい嗜好のカテゴリを選択する。
【００６０】
次に、Ｃ５で選ばれたユーザ端末の中から更に条件を加えてその数を限定する。具体的には、ユーザの性別、職業、年齢等の個人の属性をもって最終的に配信すべきユーザ端末を絞り込む。そのため、情報制御部２０１は、情報配信側のユーザ端末１０ａに対し、属性を選ぶための条件選択画面表示データを送信する（Ｃ６）。
【００６１】
前記条件選択画面表示データを受けると、情報配信側のユーザは、配信したいユーザの属性を選択する（Ｃ７）。具体的には、まず、図１０に示すように、画面３に表示されている選択肢の中から送信したいユーザの性別を選択する（この例では、男を選択）。画面３での選択が終わると、次に、画面４が表示され、情報配信側のユーザは職業を選択する（この例では、社会人を選択）。画面４での選択が終わると、次に、画面５が表示され、情報配信側のユーザは年齢を選択する（この例では、指定なし）。
【００６２】
条件選択が完了すると、限定された情報受信側のユーザをグループとして保存するかどうかを選択する（Ｃ８）。具体的には、図１０に示される画面の画面６で保存の有無を選択する。
【００６３】
グループ保存を選択した場合、グループ情報管理データベース２０４にグループ情報として情報配信側のユーザの情報が登録される（Ｃ９，Ｃ１０）。
【００６４】
グループ保存を選択しなかった場合やグループ情報の格納が完了すると、条件選択が決定されると情報制御部２０１は、メッセージ入力画面表示データを情報配信側のユーザ端末１０ａに送信する（Ｃ１１）。
【００６５】
情報配信側のユーザ端末１０ａでは、前記メッセージ入力画面表示データを受けると、図１１に示すように表示される。
【００６６】
そして、情報配信側のユーザによりメッセージが入力されると（Ｃ１２）、情報制御部２０１によって、そのメッセージがＣ７で選択されたユーザ端末に配信される（Ｃ１３）。
【００６７】
ユーザ端末１０ｂは、該当メッセージを受信することによって希望する情報を入手することができる（Ｃ１４）。
【００６８】
［２．グループ情報を利用する場合の配信］
次に、本実施形態に係る情報配信システム１におけるグループ情報を利用する場合の情報配信準備について、図８を用いて説明する。
【００６９】
図８は、本発明の実施形態に係る情報配信システム１における情報配信手順を示す図である。
【００７０】
まず、情報配信側のユーザは、グループ情報を利用する配信を行うため、グループ選択画面要求を行う（Ｄ１）。具体的には、図１０に示される画面の画面１で「はい」を選択する。
【００７１】
グループ選択画面要求を受けた情報制御部２０１は、グループ情報検索（Ｄ２）を行い、グループ情報データベース２０４は、検索結果を送信する（Ｄ３）。
【００７２】
検索結果を受信した情報制御部２０１は、情報配信側のユーザ端末１０ａに対し、グループを選ぶためのグループ選択表示データを送信する（Ｄ４）。
【００７３】
前記グループ選択画面表示データを受けると、情報配信側のユーザは、配信したいグループを選択する（Ｄ５）。具体的には、図１０の画面２で選択する（この例では、グループ１を選択）。
【００７４】
グループ選択が決定されると、情報制御部２０１は、メッセージ入力画面表示データを情報配信側のユーザ端末１０ａに送信する（Ｄ６）。
【００７５】
情報配信側のユーザ端末１０ａでは、前記メッセージ入力画面表示データを受けると、図１１に示すように表示される。
【００７６】
そして、情報配信側のユーザによりメッセージが入力されると（Ｄ７）、情報制御部２０１によって、そのメッセージがＣ７で選択されたユーザ端末に配信される（Ｄ８）。
【００７７】
ユーザ端末１０ｂは、該当メッセージを受信することによって希望する情報を入手することができる（Ｄ９）。
【００７８】
以上説明したように、本実施形態の情報配信システム１によれば、情報の配信を行う際に、予め、ユーザ端末の位置及びユーザの属性や嗜好といった個人情報に基づいて、配信先となるユーザ端末１０ｂを抽出し、当該ユーザ端末１０ｂに限定して情報を配信し、また、抽出したユーザ端末群をグループとして保存して再配信するので、配信される情報は、情報受信側のユーザが希望する情報に限られた的確なものとなり、無駄の無い情報の配信及び受信が可能となる。また、不特定多数のユーザに無作為に情報が配信されることがなくなり、通信網への負荷の軽減及びコストの低減ができ、効率のよい情報配信システムの構築及び運用が可能となる。更に、グループ配信を利用することによって、情報配信側のユーザ端末１０ａの操作を短縮した上で再配信することが可能となる。
【００７９】
また本実施形態に係る情報配信システム１によれば、抽出されたユーザ端末群をグループとして登録し、そのグループを利用して再配信可能にしているので、メールアドレス等の個人を特定する情報を隠蔽しながら、抽出されたユーザに再配信することで、修正された配信情報の提供や配信者の操作を短縮することが可能になる。
【００８０】
また本実施形態に係る情報配信システム１によれば、情報受信側のユーザ端末１０ｂの数を予め情報配信側のユーザ端末１０ａで確認した上で情報を配信するので、例えば、情報配信対象のユーザが多い地域を選んで配信を行い、また、情報配信対象のユーザが少ない場合は配信を中止する等、効率的な情報配信が可能となる。
【００８１】
また本実施形態に係る情報配信システム１によれば、情報配信側のユーザ端末１０ａから一定の距離内に存在するユーザ端末１０ｂに限定して情報を配信するので、情報配信側のユーザの近くにいるユーザに情報を配信したい場合等は、その都度対象となる地域を指定する必要なく便利である。即ち本実施形態に係る情報配信システム１によれば、情報配信の無駄を省くことができるだけでなく、利便性の良い情報配信システムの構築・運用が可能となる。
【００８２】
なお、本発明の情報配信システムについて、好適な実施形態を示して説明したが、本発明の情報配信システムは、上述した実施形態に限定されるものではなく、本発明の範囲で種々の変更実施が可能であることは言うまでもない。例えば、本発明の情報配信システムにおいては、位置情報データベースや個人情報データベースは、情報配信装置から独立した構成とすることもできる。
【産業上の利用可能性】
【００８３】
本発明は、例えば、クーポン配布、商品紹介／勧誘、イベント開催通知等の宣伝用途に適用できる。また、廃品回収やホームデリバリーサービス等の在宅型の取引や秘匿性を利用したコミュニケーションツールといった用途にも適用できる。
【図面の簡単な説明】
【００８４】
【図１】本発明の実施形態に係る情報配信システムの概略構成を示すブロック図である。
【図２】本発明の実施形態に係る情報配信システムにおける位置情報の登録手順を示す図である。
【図３】本発明の実施形態に係る情報配信システムにおける位置情報データベースにおいて格納される位置情報テーブルを示す図である。
【図４】本発明の実施形態に係る情報配信システムにおける個人情報の登録手順のうち、嗜好データの登録手順を示す図である。
【図５】本発明の実施形態に係る情報配信システムにおける個人情報登録手順に使用される個人情報登録画面の一例を示す図である。
【図６】本発明の実施形態に係る情報配信システムにおける個人情報データベースにおいて格納される個人情報テーブルを示す図である。
【図７】本発明の実施形態に係る情報配信システムにおける情報配信手順を示す図である。
【図８】本発明の実施形態に係る情報配信システムにおける情報配信手順を示す図である。
【図９】本発明の実施形態に係る情報配信システムにおける情報配信手順に使用されるカテゴリ選択画面の一例を示す図である。
【図１０】本発明の実施形態に係る情報配信システムにおける情報配信手順に使用される条件選択画面の一例を示す図である。
【図１１】本発明の実施形態に係る情報配信システムにおける情報配信手順に使用されるメッセージ入力画面の一例を示す図である。
【符号の説明】
【００８５】
１    情報配信システム
１０ａ    情報配信側のユーザ端末
１０ｂ    情報受信側のユーザ端末
１０１    位置情報取得手段
１０２    位置情報送信手段
１０３    配信情報作成手段
１０４    配信ユーザ選択手段
１０５    個人情報入力手段
２０    情報配信装置
２０１    情報制御部
２０２    位置情報データベース
２０３    個人情報データベース
２０４    グループ情報データベース
２０１１    位置情報登録手段
２０１２    位置情報検索手段
２０１３    個人情報登録手段
２０１４    個人情報検索手段
２０１５    配信ユーザ限定手段
２０１６    グループ情報登録手段
２０１７    グループ情報検索手段
２０２１    位置情報格納手段
２０３１    属性データ格納手段
２０３２    嗜好データ格納手段
２０４１    グループ情報格納手段
３０    位置情報提供システム
【図１】
2010049506.tif 000003
【図２】
2010049506.tif 000004
【図３】
2010049506.tif 000005
【図４】
2010049506.tif 000006
【図５】
2010049506.tif 000007
【図６】
2010049506.tif 000008
【図７】
2010049506.tif 000009
【図８】
2010049506.tif 000010
【図９】
2010049506.tif 000011
【図１０】
2010049506.tif 000012
【図１１】
2010049506.tif 000013